(57)【特許請求の範囲】
【請求項１】
発泡ゴム製の板状体を主体とする融雪マットにおいて、この板状体は、外周縁部が中央部より若干高くされ、中央部が外周縁部より若干低くされ、かつ、板状体の中央部に加熱媒体流通用導管が埋設されてなり、板状体の中央部表面に均熱材が載置され、この均熱材の上にカーペットまたは人工芝が順に載置されてなることを特徴とする融雪マット。
【請求項２】
中央部に載置されたカーペットまたは人工芝の頂部が、外周縁部より高くされてなる、請求項１に記載の融雪マット。
【請求項３】
均熱材がアルミニウム箔である、請求項１または請求項２に記載の融雪マット。
【発明の詳細な説明】
【０００１】
【発明の属する技術分野】
本発明は、融雪マットに関する。さらに詳しくは、冬季の降雪の日や外気温が低くや凍結が起りやすい日に、公民館、図書館、美術館、村役場、町役場、市役所などの公共設備の屋外の階段を含む出入り口（以下、単に「出入り口」という）、ホテル、レストラン、商店などの出入り口、一般家屋の出入り口などに敷設される融雪マットに関する。
【０００２】
【従来の技術】
従来、日常、人の出入りの多い公共設備の出入り口、ホテル、レストラン、商店などの出入り口、一般家屋の出入り口など冬季に降雪があった場合には、人の出入りを容易にするために除雪する必要があった。また、出入り口に積もった雪が外気温の高い時に溶け、外気が氷点下以下になった際に凍結して一面の氷となることがある。この氷の上を人が歩行する場合には、滑って転倒し怪我し易いという危険があった。施設に出入りする人の安全を考慮すれば、除雪作業、氷の除去作業は必ずしなければならない作業である。
【０００３】
【発明が解決しようとする課題】
従来、出入り口に降り積もった雪の除去作業は、主として人力に依存することが多く、降雪の多い地域、場所によっては、頻繁に除雪作業を行う必要があり、その負担は軽視できないものである。氷結した氷を除去する作業もまた、除雪作業に劣らず重労働であり、これら降雪作業、氷の除去作業を簡素化する技術の開発が待たれていた。
【０００４】
本発明者らは、かかる現状に鑑み、人の出入りの多い公共設備の出入り口、ホテル、レストラン、商店などの出入り口、一般家屋の出入り口などに降り積る雪を融雪し、氷結を防止し、除雪作業や、氷結した氷を除去する作業が不要な技術を鋭意検討した結果、本発明を完成するに至った。
【０００５】
【課題を解決するための手段】
上記課題を解決するため、本発明では、発泡ゴム製の板状体を主体とする融雪マットにおいて、この板状体は、外周縁部が中央部より若干高くされ、中央部が外周縁部より若干低くされ、かつ、板状体の中央部に加熱媒体流通用導管が埋設されてなり、板状体の中央部表面に均熱材が載置され、この均熱材の上にカーペットまたは人工芝が順に載置されてなることを特徴とする融雪マットを提供する。
【０００６】
【発明の実施の形態】
以下、本発明を詳細に説明する。
本発明に係る融雪マットは、発泡ゴム製の板状体を主体とする。ゴムとしては、ジエン系ゴム、非ジエン系ゴム、熱可塑性エラストマーなどが挙げられる。ジエン系ゴムとしては、ポリブタジエン、スチレンーブタジエン共重合体（ＳＢＲ）、ブタジエンーアクリロニトリル共重合体（ＮＢＲ）などが例示され、非ジエン系ゴムとしては、イソブチレンーイソプレン共重合体（ＩＩＲ）、エチレンープロピレン共重合体（ＥＰＲ、ＥＰＤＭ）、クロルスルフォン化ポリエチレン、塩素化ポリエチレン、エピクロルヒドリン系、有機ケイ素化合物系、含フッ素化合物系、ウレタン系、ビニル系などが例示され、熱可塑性エラストマーとしては、スチレン系、オレフィン系、エステル系、ウレタン系などが例示される。
【０００７】
上記ゴムを発泡させるには、発泡剤を配合して板状体に成形する。使用できる発泡剤としては、アゾジカーボンアミド、アゾビスイソブチロニトリルなどのアゾ化合物、ジニトロソペンタメチレンテトラミンなどのニトロソ化合物、ｐ−トルエンスルホニルヒドラジン、ｐ，ｐ´−オキシビス（ベンゼンスルホヒドラジド）などのスルホニルヒドラジン化合物が挙げられる。配合量は、ゴムの発泡倍率が１．５〜３．０倍となるような範囲で選ぶのが好ましい。
【０００８】
ゴムを板状体に成形する際に、その物性に悪影響を与えない各種の添加剤を、悪影響を与えない範囲で添加することができる。添加できる添加剤としては、加硫剤、加硫促進剤、老化防止剤、素練促進剤、充填材、難燃材、帯電防止剤、顔料や染料などの着色剤、発泡助剤、紫外線吸収剤、光安定剤、酸化防止剤、滑剤、可塑剤などが挙げられる。
【０００９】
発泡ゴム製の板状体を製造するには、上記ゴムに発泡剤、充填材、着色剤、素練促進剤、その他必要な添加剤を所定量秤量して素練し、板状体に成形し、所定の形状、大きさに切断し、外周縁部に薄く細い板状体を接着すればよい。
【００１０】
板状体は、平面形状が主に四角形、長方形などを呈し、中央部の厚さが１０〜２５mm程度のもので、長さ、幅は、融雪マットを敷設する場所によって種々選ぶことができる。板状体は平面状とするが、中央部を外周縁部より若干、１０mm以内で低くし、外周縁部を中央部より若干、１０mm以内で高くした構造とするのが好ましい。若干低くした中央部には、後記する均熱材とカーペットまたは人工芝とを載置し、雪や氷が融けて水が溜まり、この溜まった水がカーペットまたは人工芝の温度を均一に保つのに役立つ。板状体の厚さが小さい（薄い）場合には、板状体の裏側に補強のための裏打ち材を一体に設けるのが好ましい。
【００１１】
本発明に係る融雪マットは、板状体中央部に加熱媒体流通用導管が埋設されてなる。中央部とは外周縁部を除いた部分を言い、埋設とは、板状体の一方の表面に溝を刻設し、この溝に導管を埋設する方式、板状体の厚さ方向の内部に埋設する埋め込み方式などを言う。導管は板状体中央部に蛇行させて埋設するものとし、導管が一方に片寄ることがなく全体として均一な温度分布が得られるように配置するものとする。
【００１２】
導管には、融雪マットの表面温度を雪や氷を溶かすに十分な一定温度に維持する目的で温水、加熱油などの加熱媒体を通すものである。導管としては、プラスチック管、架橋ポリエチレン管、ポリブテン管などが好適であり、その直径は５〜１５mmの範囲で選ぶことができる。導管の直径、埋設密度などは、融雪マットを敷設する地域の気象条件に応じて選ぶものとする。
【００１３】
本発明に係る融雪マットは、板状体の表面の中央部には均熱材が載置されてなる。均熱材は、加熱媒体流通用導管に通す加熱媒体からの熱を板状体の表面に効率的に均一に放熱させるように機能するものである。均熱材としては、アルミニウム箔、錫箔、ステンレススチール箔、銅箔などが挙げられるが、これら例示したものに限定されるものではない。均熱材の厚さは、この上にカーペットまたは人工芝を配置し、人間が歩行する際に破損し難い厚さで選ぶものとする。板状体の表面中央部に均熱材を載置する場合、接着剤で付着させてもよい。
【００１４】
本発明に係る融雪マットは、上記均熱材の上にさらにカーペットまたは人工芝を載置する。カーペットまたは人工芝は、融雪マットにクッション性を付与し、歩行する人にショックを与えないように機能する。カーペットまたは人工芝は、一般に市販されているものであって良く、短繊維を編組に編んだもの、長繊維を編組に編んだもの、樹脂の成形品などが挙げられるが、これら例示したものに限定されるものではない。カーペットまたは人工芝の厚さは、均熱材からの熱が少なくとも表面近傍に達する範囲で選ぶものとする。カーペットまたは人工芝を均熱材の上に載置する際に、接着剤で付着させてもよい。
【００１５】
板状体の表面の中央部に載置されてなるカーペットまたは人工芝の高さを、板状体の外周縁部の高さより高くするのが好ましい。カーペットまたは人工芝の高さが、板状体の外周縁部の高さより低いと、カーペットまたは人工芝が融雪マット上で溶けて中央部に溜まった水面に浸漬して、好ましくない。カーペットまたは人工芝が水面から３mm以上出ているようにするのが好ましい。
【００１６】
本発明に係る融雪マットは、設置する場所の広さ、地形に応じて、広い面積のものを一枚設置してもよいし、複数枚の融雪マットを設置してもよい。複数枚の融雪マットを設置する場合は、各々に加熱媒体流通用導管を個別に連接してもよいが、複数枚を加熱媒体流通用導管によって連接して設置してもよい。後者の場合には、各融雪マットの隅部に導管連結用ジョイントを設け、この導管連結用ジョイントを加熱媒体流通用導管によって直列に連接する。融雪マットを設置する場所が階段の場合には、階段一段の面積に応じた融雪マットの複数枚を加熱媒体流通用導管によって直列に連接して設置するのがよい。
【００１７】
このように設置した融雪マットには、設置した場所の近傍に加熱媒体を加熱する加熱媒体循環器、および加熱した媒体を循環する循環器などを内蔵した熱源機を設置して、加熱媒体流通用導管に加熱媒体を流通させる。加熱媒体は、水が代表的であるが、熱媒として使用される機能油であってもよい。融雪マットを設置し使用する際には、加熱媒体を熱源機で加熱し、循環器によって加熱媒体流通用導管を循環させる。この際の加熱媒体の温度、加熱媒体の循環速度などは、外気温度、加熱媒体流通用導管の直径などにより、選ぶことができる。
【００１８】
【実施例】
以下、本発明を図面に基いて詳細に説明する。
図１は、本発明に係る融雪マットの一例の平面図、図２は、図１のII−II部分での縦断側面図であり、図３は、本発明に係る融雪マットを施工した、一般の住宅の玄関に一例の概略斜視図である。
【００１９】
図１、図２において、板状体１１の外周縁部１２は中央部１３より若干高くされてなる。中央部１３の表面側には導管埋設用の溝１４が刻設されてなり、この溝１４には加熱媒体流通用導管１５が埋設されてなる。加熱媒体流通用導管１５が埋設されてなる中央部１３には、均熱材１６を載置し、この均熱材１６の上にカーペット１７を載置されてなる。平面が四角形状の板状体１１の隅部には、導管連結用ジョイント１８が設けられ、複数の板状体１１が加熱媒体流通用導管１５によって連結される。
【００２０】
図３において、住宅３１の玄関ドア３２の前に階段３３が設けられ、この階段３３の各段に融雪マット３４が配置されている。複数の融雪マット３４は導管連結用ジョイント３８を介して加熱媒体流通用導管３５に連接されている。加熱媒体は石油タンク３６からの石油を熱源機３９で燃焼させて加熱され、加熱媒体流通用導管３５に循環される。加熱媒体流通用導管３５に循環される加熱媒体によって加熱された導管３５の熱は、均熱材によってカーペット３７に伝熱され、融雪マット３４に積る雪は溶かされ、水になって融雪マット３４の中央部に溜まる。水は均熱材によって継続的に加熱されるので、積る雪は直ぐに溶かされカーペット３７の上に積ることがない。
【００２１】
【発明の効果】
本発明は、次のような特別に有利な効果を奏し、その産業上の利用価値は極めて大である。
１．本発明に係る融雪マットは、板状体の表面の中央部には均熱材が載置されているので、熱効率に優れている。
２．本発明に係る融雪マットは、均熱材の上にカーペットまたは人工芝が順に載置されているので、クッション性に優れている。
３．本発明に係る融雪マットは、外周縁部が中央部より若干高くされ、中央部に載置されたカーペットまたは人工芝の頂部が外周縁部より高くされた構造とすると、水がカーペットまたは人工芝の根元に溜まるのみであるので、歩行する人に不快感を与えることがない。
【図面の簡単な説明】
【図１】  本発明に係る融雪マットの一例の平面図である。
【図２】  図１のII−II部分での縦断側面図である。
【図３】  本発明に係る融雪マットを施工した、一般の住宅の玄関に一例の概略斜視図である。
【符号の説明】
１１：板状体
１２：外周部
１３：中央部
１４：導管埋設用の溝
１５、３５：加熱媒体流通用導管
１６：均熱材
１７、３７：カーペット
１８、３８：導管連結用ジョイント
３１：住宅
３２：玄関ドア
３３：階段
３４：融雪マット
３６：石油タンク
３９：熱源機
【図１】
0003826317.tif 000002
【図２】
0003826317.tif 000003
【図３】
0003826317.tif 000004